(57)【要約】【課題】検査対象外のページを含めた全ての出力物の印刷結果を確認できるようにする。【解決手段】検査システムに、ジョブに基づいて画像が形成された用紙が読み取られた読取画像と予め用意した基準画像とを比較して読取画像の検査を行う検査部と、ジョブに対して、検査の対象とする検査対象ページと、検査の対象外とする検査対象外ページと、を設定する検査対象設定部と、検査対象設定部の設定に基づいて、検査対象ページに対して検査を行い、検査対象外ページに対して検査を行わないように、検査部を制御する検査制御部と、検査対象外ページを含む全ページの読取画像を含む検査レポートを作成する検査レポート作成部と、を設ける。【選択図】図３
2020172028.tif 000002
【特許請求の範囲】
【請求項１】
ジョブに基づいて画像が形成された用紙が読み取られた読取画像と予め用意された基準画像とを比較して、前記読取画像の検査を行う検査部と、
前記ジョブに対して、検査の対象とする検査対象ページと、検査の対象外とする検査対象外ページと、を設定する検査対象設定部と、
前記検査対象設定部の設定に基づいて、前記検査対象ページに対して検査を行い、前記検査対象外ページに対して検査を行わないように、前記検査部を制御する検査制御部と、
前記検査対象外ページも含めた前記ジョブの全ページの読取画像を含む検査レポートを作成する検査レポート作成部と、を備える、
ことを特徴とする検査システム。
【請求項２】
前記検査レポート作成部は、前記検査対象ページに対して検査結果と読取画像とを含み、前記検査対象外ページに対して読取画像を含む前記検査レポートを作成する、
ことを特徴とする請求項１に記載の検査システム。
【請求項３】
前記検査レポート作成部は、前記検査レポートに、前記検査対象ページと前記検査対象外ページとを識別可能にする情報を付加する、
ことを特徴とする請求項１又は２に記載の検査システム。
【請求項４】
前記検査レポート作成部は、前記検査対象外ページの読取画像に、検査対象外であることを示す情報を合成する、
ことを特徴とする請求項３に記載の検査システム。
【請求項５】
前記検査レポート作成部は、検査ページリストを作成し、当該検査ページリストに、前記検査対象ページと前記検査対象外ページとを識別可能に記載する、
ことを特徴とする請求項３に記載の検査システム。
【請求項６】
前記検査レポート作成部は、前記検査対象外ページも含めて前記検査レポートを作成する否かを指定する画面を表示部に表示させる、
ことを特徴とする請求項１乃至５のいずれか一に記載の検査システム。
【請求項７】
前記検査対象設定部は、前記ジョブに含まれるページ毎の用紙種類の情報に基づいて、前記検査対象外ページであるか否かを判断する、
ことを特徴とする請求項１乃至６のいずれか一に記載の検査システム。
【請求項８】
前記用紙種類は、インデックス紙、エンボス紙、パンチ穴を有する処理済紙、画像形成を行わない挿入紙のいずれかを含む、
ことを特徴とする請求項７に記載の検査システム。
【請求項９】
ジョブに基づいて画像が形成された用紙が読み取られた読取画像と予め用意された基準画像とを比較して、前記読取画像の検査を行う検査部を備える検査システムにおける検査方法であって、
前記ジョブに対して、検査の対象とする検査対象ページと、検査の対象外とする検査対象外ページと、を設定する検査対象設定処理と、
前記検査対象設定処理の設定に基づいて、前記検査対象ページに対して検査を行い、前記検査対象外ページに対して検査を行わないように、前記検査部を制御する検査制御処理と、
前記検査対象外ページも含めた前記ジョブの全ページの読取画像を含む検査レポートを作成する検査レポート作成処理と、を実行する、
ことを特徴とする検査方法。
【請求項１０】
前記検査レポート作成処理では、前記検査対象ページに対して検査結果と読取画像とを含み、前記検査対象外ページに対して読取画像を含む前記検査レポートを作成する、
ことを特徴とする請求項９に記載の検査方法。
【請求項１１】
前記検査レポート作成処理では、前記検査レポートに、前記検査対象ページと前記検査対象外ページとを識別可能にする情報を付加する、
ことを特徴とする請求項９又は１０に記載の検査方法。
【請求項１２】
前記検査レポート作成処理では、前記検査対象外ページの読取画像に、検査対象外であることを示す情報を合成する、
ことを特徴とする請求項１１に記載の検査方法。
【請求項１３】
前記検査レポート作成処理では、検査ページリストを作成し、当該検査ページリストに、前記検査対象ページと前記検査対象外ページとを識別可能に記載する、
ことを特徴とする請求項１１に記載の検査方法。
【請求項１４】
前記検査対象外ページも含めて前記検査レポートを作成する否かを、予めユーザに指定させる指定処理を更に実行する、
ことを特徴とする請求項９乃至１３のいずれか一に記載の検査方法。
【請求項１５】
前記検査対象設定処理では、前記ジョブに含まれるページ毎の用紙種類の情報に基づいて、前記検査対象外ページであるか否かを判断する、
ことを特徴とする請求項９乃至１４のいずれか一に記載の検査方法。
【請求項１６】
前記用紙種類は、インデックス紙、エンボス紙、パンチ穴を有する処理済紙、画像形成を行わない挿入紙のいずれかを含む、
ことを特徴とする請求項１５に記載の検査方法。
【請求項１７】
ジョブに基づいて画像が形成された用紙が読み取られた読取画像と予め用意された基準画像とを比較して、前記読取画像の検査を行う検査部を備える検査システムで動作する検査プログラムであって、
前記検査システムの制御部に、
前記ジョブに対して、検査の対象とする検査対象ページと、検査の対象外とする検査対象外ページと、を設定する検査対象設定処理、
前記検査対象設定処理の設定に基づいて、前記検査対象ページに対して検査を行い、前記検査対象外ページに対して検査を行わないように、前記検査部を制御する検査制御処理、
前記検査対象外ページも含めた前記ジョブの全ページの読取画像を含む検査レポートを作成する検査レポート作成処理、を実行させる、
ことを特徴とする検査プログラム。
【請求項１８】
前記検査レポート作成処理では、前記検査対象ページに対して検査結果と読取画像とを含み、前記検査対象外ページに対して読取画像を含む前記検査レポートを作成する、
ことを特徴とする請求項１７に記載の検査プログラム。
【発明の詳細な説明】
【技術分野】
【０００１】
本発明は、検査システム、検査方法及び検査プログラムに関し、特に、ジョブに基づいて画像が形成された用紙を読み取った読み取り画像を検査する検査システム、当該検査システムにおける検査方法、及び当該検査システムで動作する検査プログラムに関する。
【背景技術】
【０００２】
ＭＦＰ（Multi-Functional Peripherals）などの画像形成装置では、用紙上の原稿画像にトナーなどによる汚れ、スジ、スポット状の画像ノイズ（ホタルと呼ばれる。）が発生したり、色再現性や印字位置精度が悪化したりする場合がある。そこで、画像形成装置に自動検品機能を設け、画像形成後の用紙の検査を行っている。この自動検品機能とは、本印刷前のプルーフやサンプル出力時にスキャンして得た画像（基準画像）と本印刷中にスキャンして得た画像（検査画像）とを比較し、基準画像と検査画像との差分を抽出することによって検査画像の良否を判定する機能である。また、自動検品機能とパージ機能とを連動させて、差分が抽出された出力物を除外することで、良品のみの出力物を得ることもできる。
【０００３】
このような画像の検査に関して、例えば、下記特許文献１には、原稿画像データに基づいて各ページの印刷を行う印刷システムにおけるページ間の整合性を検査するページ誤り検査装置において、前記原稿画像データ内から取得したページ順を示すコード情報に基づいてページ間の整合性の検査を行う第１の検査処理手段と、前記原稿画像データと該原稿画像データに基づく印刷物を撮像した印刷画像データとから取得したページ順を示すコード情報に基づいてページ間の整合性の検査を行う第２の検査処理手段とを具備する構成が開示されている。
【０００４】
また、下記特許文献２には、記録媒体上に画像形成出力された画像を読み取った読取画像の検査を行う画像検査装置であって、画像形成出力された画像が読み取られて生成された読取画像を取得する読取画像取得部と、前記読取画像の検査を行うために画像形成出力するべき画像の情報に基づいて生成された検査用画像と前記読取画像との差分を示す差分画像及び前記差分画像に基づいて前記読取画像の欠陥を判定した結果である検査結果を取得する検査結果取得部と、検査対象となった読取画像の元となる画像が画像形成出力された際の条件を示す印刷条件情報を取得する印刷条件情報取得部と、前記差分画像、前記検査結果及び前記印刷条件情報を関連付け、画像の検査によって保存される保存情報として記憶媒体に記憶させる記憶処理部と、前記印刷条件情報及び前記検査結果に基づき、前記保存情報の重要度を示す評価値を算出する評価値算出部と、算出された前記評価値に基づき、前記記憶媒体から削除するべき保存情報を決定する削除決定部と、決定された前記削除するべき保存情報を削除する削除処理部と、を含む構成が開示されている。
【先行技術文献】
【特許文献】
【０００５】
【特許文献１】特開２００７−２４１４１３号公報
【特許文献２】特開２０１５−１４１０９３号公報
【発明の概要】
【発明が解決しようとする課題】
【０００６】
上述した自動検品機能を用いて、同じ条件で用紙に形成された基準画像と検査画像とを比較することによって、検査画像の良否を判定することができるが、基準画像と検査画像とが異なる条件で形成された場合は、これらを比較しても、検査画像の良否を判定することはできない。例えば、エンボス紙等の用紙は用紙毎に同じ凹凸パターンであっても、エンボス紙の製造時の精度（誤差）によって凹凸は微妙に異なる場合があり、凹凸が異なると、その上に形成される基準画像と検査画像とに差分があると判定されてしまう。そこで、自動検品機能に適さない種類の用紙を使用するページは検査対象から除外するようにしており、このような検査対象外のページについては、検査のためのスキャンを実施しないか、スキャンを実施してもスキャンデータは破棄するため、検査画像は保存されない。
【０００７】
その結果、検査結果を示す検査レポートには、検査対象のページの検査画像と検査結果しか含まれないことになり、印刷依頼元に検査対象外のページを含めた全ての出力物の印刷結果を提示することができない。また、検査レポートには、検査対象外のページの検査画像が含まれないため、大量に出力された実際の出力物の中から検査対象外のページを探し出して印刷結果を確認しなければならず、ユーザの負担が増大してしまう。
【０００８】
本発明は、上記問題点に鑑みてなされたものであって、その主たる目的は、検査対象外のページを含めた全ての出力物の印刷結果を確認することができる検査システム、検査方法及び検査プログラムを提供することにある。
【課題を解決するための手段】
【０００９】
本発明の一側面は、ジョブに基づいて画像が形成された用紙が読み取られた読取画像と予め用意された基準画像とを比較して、前記読取画像の検査を行う検査部と、前記ジョブに対して、検査の対象とする検査対象ページと、検査の対象外とする検査対象外ページと、を設定する検査対象設定部と、前記検査対象設定部の設定に基づいて、前記検査対象ページに対して検査を行い、前記検査対象外ページに対して検査を行わないように、前記検査部を制御する検査制御部と、前記検査対象外ページも含めた前記ジョブの全ページの読取画像を含む検査レポートを作成する検査レポート作成部と、を備えることを特徴とする。
【００１０】
本発明の一側面は、ジョブに基づいて画像が形成された用紙が読み取られた読取画像と予め用意された基準画像とを比較して、前記読取画像の検査を行う検査部を備える検査システムにおける検査方法であって、前記ジョブに対して、検査の対象とする検査対象ページと、検査の対象外とする検査対象外ページと、を設定する検査対象設定処理と、前記検査対象設定処理の設定に基づいて、前記検査対象ページに対して検査を行い、前記検査対象外ページに対して検査を行わないように、前記検査部を制御する検査制御処理と、前記検査対象外ページも含めた前記ジョブの全ページの読取画像を含む検査レポートを作成する検査レポート作成処理と、を実行することを特徴とする。
【００１１】
本発明の一側面は、ジョブに基づいて画像が形成された用紙が読み取られた読取画像と予め用意された基準画像とを比較して、前記読取画像の検査を行う検査部を備える検査システムで動作する検査プログラムであって、前記検査システムの制御部に、前記ジョブに対して、検査の対象とする検査対象ページと、検査の対象外とする検査対象外ページと、を設定する検査対象設定処理、前記検査対象設定処理の設定に基づいて、前記検査対象ページに対して検査を行い、前記検査対象外ページに対して検査を行わないように、前記検査部を制御する検査制御処理、前記検査対象外ページも含めた前記ジョブの全ページの読取画像を含む検査レポートを作成する検査レポート作成処理、を実行させることを特徴とする。
【発明の効果】
【００１２】
本発明の検査システム、検査方法及び検査プログラムによれば、検査対象外のページを含めた全ての出力物の印刷結果を確認することができる。
【００１３】
その理由は、検査システムに、ジョブに基づいて画像が形成された用紙が読み取られた読取画像と予め用意した基準画像とを比較して読取画像の検査を行う検査部と、ジョブに対して、検査の対象とする検査対象ページと、検査の対象外とする検査対象外ページと、を設定する検査対象設定部と、検査対象設定部の設定に基づいて、検査対象ページに対して検査を行い、検査対象外ページに対して検査を行わないように、検査部を制御する検査制御部と、検査対象外ページを含む全ページの読取画像を含む検査レポートを作成する検査レポート作成部と、を設けるからである。
【図面の簡単な説明】
【００１４】
【図１】本発明の一実施例に係る検査システムの構成を示す模式図である。
【図２】本発明の一実施例に係る検査システムの他の構成を示す模式図である。
【図３】本発明の一実施例に係る検査システムの構成を示すブロック図である。
【図４】本発明の一実施例に係る検査方法（エンボス紙の場合）を説明する模式図である。
【図５】本発明の一実施例に係る検査システムの動作を示すフローチャート図である。
【図６】本発明の一実施例に係る検査レポートの一例である。
【図７】本発明の一実施例に係る検査レポートの他の例である。
【図８】本発明の一実施例に係る検査レポートの他の例である。
【図９】パンチ穴ありの用紙を使用した場合の問題点を説明する模式図である。
【図１０】パンチ穴ありの用紙を使用した場合の問題点を説明する模式図である。
【図１１】本発明の一実施例に係る検査システムに表示される画面（ジョブ編集画面）の一例を示す模式図である。
【図１２】本発明の一実施例に係る検査システムに表示される画面（指示画面）の一例を示す模式図である。
【発明を実施するための形態】
【００１５】
背景技術で示したように、画像形成装置では、用紙上の原稿画像にトナーなどによる汚れ、スジ、スポット状の画像ノイズ（ホタル）が発生したり、色再現性や印字位置精度が悪化したりする場合がある。そこで、画像形成装置に自動検品機能を設け、画像形成後の用紙の検査を行っている。
【００１６】
しかしながら、エンボス紙等の用紙は用紙毎に凹凸が微妙に異なる場合があり、凹凸が異なると、その上に形成される基準画像と検査画像とに差分があると判定されてしまう。そこで、自動検品機能に適さない種類の用紙を使用するページは検査対象から除外するようにしているが、検査対象外ページについては、検査画像が保存されない。
【００１７】
その結果、検査レポートには、検査対象のページの検査画像と検査結果しか含まれないことになり、印刷依頼元に検査対象外のページを含めた全ての出力物の印刷結果を提示することができない。また、検査レポートには、検査対象外のページの検査画像が含まれないため、大量に出力された実際の出力物の中から検査対象外のページを探し出して印刷結果を確認しなければならず、ユーザの負担が増大してしまう。
【００１８】
そこで、本発明の一実施の形態では、検査システムに、ジョブに基づいて画像が形成された用紙が読み取られた読取画像と予め用意した基準画像とを比較して読取画像の検査を行う検査部と、ジョブに対して、検査の対象とする検査対象ページと、検査の対象外とする検査対象外ページと、を設定する検査対象設定部と、検査対象設定部の設定に基づいて、検査対象ページに対して検査を行い、検査対象外ページに対して検査を行わないように、検査部を制御する検査制御部と、検査対象外ページを含む全ページの読取画像を含むＰＤＦ（Portable Document Format）ファイルなどの検査レポートを作成する検査レポート作成部と、を設ける。
【００１９】
このように、検査対象外のページも含めて印刷結果を確認可能な検査レポートを作成することにより、全ての出力物の印刷結果が確認可能になり、印刷依頼元への印刷結果の提示も容易になる。また、検査対象外のページに対しても印刷結果を目視で確認することができるため、大量の出力物の中から検査対象外のページを探し出す必要がなくなり、ユーザの負担を軽減することができる。そして、これらにより、不良印刷物の流出を防止することができる。
【実施例】
【００２０】
上記した本発明の一実施の形態についてさらに詳細に説明すべく、本発明の一実施例に係る検査システム、検査方法及び検査プログラムについて、図１乃至図１２を参照して説明する。図１及び図２は、本実施例の検査システムの構成を示す模式図であり、図３は、本実施例の検査システムの構成を示すブロック図である。また、図４は、本実施例の検査方法（エンボス紙の場合）を説明する模式図であり、図５は、本実施例の検査システムの動作を示すフローチャート図である。また、図６乃至図８は、本実施例の検査レポートの一例、図９及び図１０は、パンチ穴ありの用紙を使用した場合の問題点を説明する模式図であり、図１１及び図１２は、本実施例の検査システムに表示される画面の一例を示す模式図である。
【００２１】
図１に示すように、本実施例の検査システム１０は、用紙に画像を形成し、用紙に形成した画像を検査して出力する装置である。なお、図１では、用紙に画像を形成する画像形成装置１０ａと、用紙に形成した画像を検査する検査装置１０ｂとが一体となった構成を示しているが、図２に示すように、用紙に画像を形成する画像形成装置１０ａと、用紙に形成した画像を検査する検査装置１０ｂと、を別々の装置としてもよい。以下、図１の構成を前提にして説明する。
【００２２】
図１及び図３（ａ）に示すように、本実施例の検査システム１０は、制御部１１、記憶部１２、ネットワークＩ／Ｆ部１３、表示操作部１４、画像処理部１５、印刷部１６、画像読み取り部１７、検査部１８、仕分け部１９などで構成される。
【００２３】
制御部１１は、ＣＰＵ（Central Processing Unit）１１ａと、ＲＯＭ（Read Only Memory）１１ｂやＲＡＭ（Random Access Memory）１１ｃ等のメモリとで構成される。ＣＰＵ１１ａは、ＲＯＭ１１ｂ又は記憶部１２から処理内容に応じたプログラム（検査プログラムを含む。）を読み出し、ＲＡＭ１１ｃに展開して実行することにより、検査システム１０の動作を集中制御する。
【００２４】
記憶部１２は、ＨＤＤ（Hard Disk Drive）やＳＳＤ（Solid State Drive）などで構成され、ＣＰＵ１１ａが各部を制御するためのプログラム（検査プログラムを含む。）、自装置の処理機能に関する情報、画像読み取り部１７が読み取った画像データ、後述する検査レポート作成部２３が作成した検査レポートなどを記憶する。
【００２５】
ネットワークＩ／Ｆ部１３は、ＮＩＣ（Network Interface Card）やモデムなどで構成され、検査システム１０をＬＡＮ（Local Area Network）やＷＡＮ（Wide Area Network）等の通信ネットワークに接続し、外部の情報機器（例えばクライアント装置）との間で各種データの送受信を行う。
【００２６】
表示操作部１４は、ＬＣＤ（Liquid Crystal Display）や有機ＥＬ（Electro Luminescence）ディスプレイなどの表示部上に、透明電極が格子状に配置された感圧式や静電容量式などの操作部（タッチセンサ）を設けたタッチパネルなどで構成され、表示部及び操作部として機能する。表示部は、制御部１１から入力される表示制御信号に従って、各種操作画面（後述するジョブ編集画面や指示画面など）、画像の形成状態、各機能の動作状況等の表示を行う。操作部は、ユーザによる各種入力操作（ジョブ編集画面における検査対象外ページの設定や指示画面における検査レポートの作成条件の設定など）を受け付けて、操作信号を制御部１１に出力する。
【００２７】
画像処理部１５は、ＲＩＰ（Raster Image Processor）として機能し、ジョブから中間データ（中間言語であるディスプレイリスト（ＤＬ：Display List））を生成し、原稿の各ページをラスタライズしてビットマップ形式の画像データを生成する。また、画像処理部１５は、必要に応じて、画像データに対して、スクリーン処理、階調補正、濃度バランス調整、細線化、網点処理などを行う。そして、画像処理部１５は、生成した画像データを印刷部１６に出力する。
【００２８】
印刷部１６は、印刷処理を実行するエンジンである。具体的には、画像データに基づいてレーザ光を照射して露光する露光部と、感光体ドラムと現像装置と帯電装置と感光体クリーニング部と１次転写ローラとを備え、Ｙ（Yellow）、Ｍ（Magenta）、Ｃ（Cyan）、Ｋ（Black）の各色のトナー像を形成する画像形成部と、ローラによって回転され、画像形成部で形成されたトナー像を用紙に搬送する中間転写体として機能する中間転写ベルトと、中間転写ベルト上に形成されたトナー像を用紙に転写する２次転写ローラと、用紙に転写されたトナー像を定着させる定着部と、用紙を搬送する給紙ローラやレジストローラ、ループローラ、反転ローラ、排紙ローラ等の搬送部などで構成される。
【００２９】
画像読み取り部１７は、印刷後の用紙をスキャンするセンサであり、例えば、上記印刷部１６の定着部と検査部１８との間の用紙の搬送経路などに設けられたインラインセンサである。このインラインセンサは、例えば、Ｒ（Red）、Ｇ（Green）、Ｂ（Blue）の３種類のセンサで構成され、用紙で反射された光の光量に応じたＲＧＢ値を検出し、画像データとして出力する。
【００３０】
検査部１８は、ジョブに基づいて画像が形成された用紙を読み取った読取画像（検査画像）と、予め用意した判定の基準となる基準画像（本実施例では、正解画像と呼ぶ。）と、を比較することによって検査画像の良否（差分の有無）を判定する。
【００３１】
仕分け部１９は、必要に応じて設けられ、検査部１８の検査結果に基づいて、差分のない良品の出力物と差分のある不良品の出力物とを分別し、各々を異なる排紙トレイに排紙する。
【００３２】
また、上記制御部１１は、図３（ｂ）に示すように、正解画像登録部２０、検査対象設定部２１、検査制御部２２、検査レポート作成部２３などとして機能する。
【００３３】
正解画像登録部２０は、本印刷前に、画像読み取り部１７がジョブの各ページを読み取った画像を、正解画像として記憶部１２などに登録する。
【００３４】
検査対象設定部２１は、ジョブに対して、検査の対象とするページ（検査対象ページと呼ぶ。）と、検査の対象外とするページ（検査対象外ページと呼ぶ。）と、を設定する。例えば、ジョブに含まれるページ毎の用紙種類情報に基づいて、検査対象外ページであるか否かを判断する。この用紙種類は、インデックス紙やエンボス紙などの特殊紙、パンチ穴が空いているような処理済紙、画像形成を行わない挿入紙のいずれかを含むことが好ましい。
【００３５】
検査制御部２２は、検査対象設定部２１の設定に基づいて、検査対象ページに対して検査を行い、検査対象外ページに対して検査を行わないように、検査部１８を制御する。また、検査制御部２２は、検査画像と正解画像とに差分がある場合は、仕分け部１９を制御して、そのページを正常なページとは異なる排紙トレイに排紙してパージしたり、表示操作部１４に、検査画像と正解画像とに差分がある旨の画面を表示させて、異常を通知したりすることができる。
【００３６】
検査レポート作成部２３は、検査対象外ページも含めたジョブの全ページの読取画像を含む検査レポート（例えば、ＰＤＦファイル）を作成する。その際、検査対象ページに対して検査結果と読取画像とを含み、検査対象外ページに対して読取画像を含む検査レポートを作成することができる。また、検査レポート作成部２３は、検査レポートに、検査対象ページと検査対象外ページとを識別可能にする情報を付加することができ、例えば、検査対象外ページの読取画像に、検査対象外であることを示す情報を合成したり、検査ページリストを作成し、当該対象ページリストに検査対象ページと検査対象外ページとを識別可能に記載したりすることができる。また、検査レポート作成部２３は、必要に応じて、検査対象外ページも含めて検査レポートを作成するか否かをユーザに指定させる指示画面を表示操作部１４に表示させる。
【００３７】
上記正解画像登録部２０、検査対象設定部２１、検査制御部２２、検査レポート作成部２３はハードウェアとして構成してもよいし、制御部１１を、正解画像登録部２０、検査対象設定部２１、検査制御部２２、検査レポート作成部２３（特に、検査対象設定部２１、検査制御部２２、検査レポート作成部２３）として機能させる検査プログラムとして構成し、当該検査プログラムをＣＰＵ１１ａに実行させるようにしてもよい。
【００３８】
次に、上記構成の検査システム１０を用いた検査方法について、図４の模式図を参照して説明する。なお、図４は、ジョブの一部のページの用紙種類がエンボス紙の場合の例である。
【００３９】
まず、正解画像登録部２０は、検査時に比較対象となる正解画像を登録する。例えば、ジョブの全ページを普通紙でスキャンした画像を正解画像として登録する。検査時は、検査するジョブと正解画像とを関連付けた上で、検査ジョブを実行する。この検査ジョブの用紙種類設定はユーザが自由に変更することができるため、例えば、１〜５ページのジョブの３ページ目のみをエンボス紙の設定にすると、図４（ａ）に示すように、１、２ページ目と４、５ページ目が普通紙で３ページ目のみがエンボス紙という構成になり、ユーザが実際に出力する印刷物となる。
【００４０】
検査対象設定部２１は、ジョブに含まれるページ単位の用紙種類の情報に基づいて、ユーザが設定したエンボス紙が指定されているページを自動的に判定する。そして、検査制御部２２は、この検査対象設定部２１の設定に基づいて、当該ページを検査から除外するように検査部１８を制御する。図４（ａ）の構成の場合、エンボス紙は自動的に検査対象から除外されるため、図４（ｂ）に示すように、エンボス紙を除いた１、２ページ目と４、５ページ目が検査対象となる。
【００４１】
ここで、従来の検査方法では、検査対象ページのみの検査結果を出力するため、エンボス紙を除いた１、２ページ目と４、５ページ目しか検査画像が保存されない。その結果、印刷依頼元に全ての出力物の印刷結果を提示することができず、大量に出力された実際の出力物の中から検査対象外のページを探し出して印刷結果を確認しなければならない。
【００４２】
一方、本実施例では、検査対象外ページである３ページ目についても検査画像を保存しておき、図４（ｃ）に示すように、検査対象外の３ページ目も含めた検査レポート（ＰＤＦファイル）を作成する。その際、必要に応じて、検査対象外の３ページ目については、検査対象外であることを識別可能にする情報が付加される。例えば、読取画像に「検査対象外」の文字が合成される。これにより、全ての出力物の印刷結果が確認可能になり、印刷依頼元への印刷結果の提示も容易になる。また、大量の出力物の中から検査対象外のページを探し出す必要がなくなり、ユーザの負担を軽減することができる。なお、図４（ｃ）では、検査対象外ページの読取画像に、検査対象外であることを識別可能にする情報を付加したが、検査対象ページと検査対象外ページとが識別可能であればよく、例えば、検査対象ページの読取画像に、検査対象であることを識別可能にする情報を付加してもよい。
【００４３】
次に、本実施例の検査システム１０の動作（検査ジョブ実行時の動作）について説明する。ＣＰＵ１１ａは、ＲＯＭ１１ｂ又は記憶部１２に記憶した検査プログラムをＲＡＭ１１ｃに展開して実行することにより、図５のフローチャート図に示す各ステップの処理を実行する。なお、予め、正解画像登録部２０は、正解画像を記憶部１２などに登録しているものとする。
【００４４】
まず、制御部１１（検査制御部２２）は、記憶部１２などから正解画像を読み出す（Ｓ１０１）。次に、制御部１１（検査対象設定部２１）は、ジョブの用紙種類設定に基づいて、ジョブのページの中に検査対象外となる用紙種類のページが含まれるかを判断する（Ｓ１０２）。検査対象外となる用紙種類のページが含まれる場合は（Ｓ１０２のＹｅｓ）、当該ページを検査対象外ページに設定する（Ｓ１０３）。
【００４５】
次に、印刷部１６は、用紙に各ページの画像を形成し、画像読み取り部１７は、各ページの画像を形成した用紙をスキャンして検査画像を取得する（Ｓ１０４）。ここで、本実施例では、検査対象外ページの検査画像（読取画像）も検査レポートに含ませるため、ジョブに含まれる全てのページをスキャンして検査画像を取得する。
【００４６】
次に、制御部１１（検査制御部２２）は、スキャンしたページが検査対象ページであるかを判断する（Ｓ１０５）。スキャンしたページが検査対象ページでなければ（Ｓ１０５のＮｏ）、Ｓ１０９にスキップし、スキャンしたページが検査対象ページであれば（Ｓ１０５のＹｅｓ）、制御部１１（検査制御部２２）は、検査部１８を制御して、Ｓ１０４で取得した検査画像とＳ１０１で読み出した正解画像とを比較する（Ｓ１０６）。
【００４７】
比較した結果、検査画像と正解画像とに差分がある（異常を検知した）場合は（Ｓ１０７のＹｅｓ）、制御部１１（検査制御部２２）は、仕分け部１９を制御して、そのページを正常なページとは異なる排紙トレイに排紙してパージしたり、表示操作部１４に、検査画像と正解画像とに差分がある旨の画面を表示させて、異常を通知したりする（Ｓ１０８）。
【００４８】
その後、制御部１１（検査制御部２２）は、ジョブの全ページの検査が終了したかを判断し（Ｓ１０９）、未検査のページがある場合は（Ｓ１０９のＮｏ）、Ｓ１０４に戻って、次のページの検査を行う。そして、全ページの検査が終了したら（Ｓ１０９のＹｅｓ）、制御部１１（検査レポート作成部２３）は、全ページの検査画像と、検査対象ページの検査結果と、を含む検査レポートを作成し（Ｓ１１０）、表示操作部１４に表示したり、ＰＤＦファイルとして外部に出力したりする。
【００４９】
上記フローでは、ジョブの全ページの検査が終了した後に検査レポートを作成し、表示操作部１４に表示したが、一部のページの検査が終了した段階で、そのページの検査レポートを順次作成（すなわち、ジョブの全ページの検査が終了する前に検査レポートの作成を開始）してもよいし、ジョブの全ページの検査が終了する前に、検査が終了したページの検査レポートを表示操作部１４に表示して、検査結果を確認できるようにしてもよい。また、上記フローでは、１ページ毎に印刷、スキャン、検査を実施しているが、図２に示すように、画像形成装置１０ａと検査装置１０ｂとが別々の装置として構成されている場合は、画像形成装置１０ａでジョブの全ページの印刷を行い、その後、検査装置１０ｂで１ページ毎にスキャン及び検査を実施してもよいし、画像形成装置１０ａでジョブの全ページの印刷及びスキャンを行い、その後、検査装置１０ｂで１ページ毎に検査を実施してもよい。
【００５０】
図６乃至図８は、１〜５ページの内の３ページ目の用紙がエンボス紙のジョブの検査レポートの一例であり、２ページ目の検査画像と正解画像とに許容範囲を超える差分があり、４ページ目の検査画像と正解画像とに許容範囲内の差分がある場合を示している。
【００５１】
例えば、検査レポート作成部２３は、図６に示すように、全ページ（１〜５ページ）の検査画像と、検査対象ページ（１、２、４、５ページ）の検査結果と、を含む検査レポートを作成したり、図７に示すように、全ページ（１〜５ページ）の検査画像と、検査対象ページ（１、２、４、５ページ）の検査画像と正解画像との差分画像と、を含む検査レポートを作成したりする。その際、３ページ目が検査対象外ページであることを識別できるように、例えば、３ページ目の検査画像に検査対象外であることを示す文字が合成される。また、検査レポート作成部２３は、図８に示すように、全ページ（１〜５ページ）の検査画像と、検査対象ページ（１、２、４、５ページ）の検査結果（若しくは差分画像）と、に加えて、検査対象ページを明示するリスト（検査ページリスト）を含む検査レポートを作成してもよい。この場合は、検査ページリストから、どのページが検査対象外ページであるかを判断することができるため、検査画像に検査対象外であることを示す情報を付加する必要はない。
【００５２】
なお、図６乃至図８では、全ページの正解画像が登録され、検査ジョブのページの中に検査対象外ページが含まれている場合の例を示したが、正解画像の作成時、検査対象外ページが含まれていた場合、当該ページの読取画像は正解画像として保存しない。そのため、全てのページが検査対象の用紙種類（例えば、普通紙）の設定で検査ジョブを実行した場合、正解画像が保存されていないページに対応する検査対象ページは、検査から除外されるが、本実施例では、検査から除外されたページの読取画像も検査レポートに含まれるため、その読取画像を確認することによって、画像不良があるかないかを確認することができる。
【００５３】
また、正解画像が保存されている全てのページが検査対象外ページとなる場合、検査ジョブと正解画像とを関連付けて検査を実施したとき、正解画像が存在しないことと同義であるため、検査ジョブは停止制御されて実行しないことになるが、本実施例では、検査ジョブの全ページが検査対象外であっても、全ページの読取画像が検査レポートに含まれるため、その読取画像を確認することによって、画像不良があるかないかを確認することができる。
【００５４】
以上、用紙種類がエンボス紙の場合を例にして説明したが、用紙種類がインデックス紙などの特殊紙、パンチ穴を有する処理済紙、画像形成を行わない挿入紙の場合も同様である。
【００５５】
例えば、パンチ穴ありの用紙に印刷する場合、図９に示すように、パンチ穴の位置が用紙に対して一定でない（パンチ穴の左右位置や上下位置が異なる）場合があり、その場合は、読取画像における原稿画像に対するパンチ穴の画像がずれるため、用紙ずれとして検知されてしまう場合がある。また、図１０に示すように、用紙に対してパンチ穴の位置が一定であったとしても、原稿画像の印刷位置に対してパンチ穴の位置が一定でない場合がある。その場合、正解画像と検査画像との位置合わせ時にパンチ穴の画像もしくは原稿画像のどちらかが不一致となるため、誤って異常画像であると判断される可能性がある。さらに、パンチ穴ありの用紙の製造時にパンチ穴の周囲に残留物（バリ）が残ってしまい、正解画像又は検査画像の一方にその残留物が写っている場合、画像比較で差分ありと判断されてしまう可能性がある。このように、パンチ穴ありの用紙の場合も、誤って画像不良と判断される可能性があるため、パンチ穴ありの用紙に印刷するページは検査対象外ページとなり得る。
【００５６】
また、インデックス紙や画像形成を行わない挿入紙は、本印刷前のプルーフやサンプル出力時には挿入せず、本印刷時のみ挿入する場合があり、この場合、インデックス紙や挿入紙に対する正解画像が存在しない。また、インデックス紙や挿入紙は、原稿を印刷することを想定していないため、画像検査を行う必要がない。従って、インデックス紙や挿入紙のページは、上記のパンチ穴ありの用紙と同様に、検査対象外ページとなり得る。
【００５７】
上記のエンボス紙やインデックス紙などの特殊紙、パンチ穴を有する処理済紙、画像形成を行わない挿入紙などを検査対象外ページに設定する場合、図１１に示すようなジョブ編集画面３０を用いることができる。このジョブ編集画面３０では、エンボス紙の情報は、ジョブ編集画面３０の用紙設定欄（図の中央下部）の用紙種類の項目（太い実線の枠内参照）で、ユーザが任意に設定することができる。また、パンチ穴ありの用紙は、ジョブ編集画面３０の用紙設定欄（図の中央下部）のパンチの項目（太い破線の枠内参照）で、パンチ穴ありかなしかをユーザが任意に設定することができる。従って、給紙トレイにエンボス紙又はパンチ穴ありの用紙がセットされていれば、ページ選択欄（図の上部の矢印やバー）でページを選択し、用紙設定欄でエンボス紙又はパンチ穴ありの用紙を設定することで、ジョブの各ページの画像を所望の用紙を印刷することができる。これらの用紙種類情報は、検査ジョブを実行したタイミングで、検査対象設定部２１が検査対象外ページであるかどうかを判断する際に用いられる。
【００５８】
また、上記では、検査対象外ページの検査画像も含めて検査レポートを作成する場合について説明したが、検査対象外ページの検査画像を検査レポートに含めるか否かをユーザが選択できるようにしてもよい。その場合は、検査レポート作成部２３は、表示操作部１４に図１２に示すような指示画面３１を表示させ、この指示画面３１で、「はい」が選択された場合は、検査対象外ページの検査画像も含めて検査レポートを作成し、「いいえ」が選択された場合は、検査対象外ページの検査画像を含めずに検査レポートを作成することができる。
【００５９】
以上説明したように、ジョブに基づいて画像が形成された用紙を読み取った読取画像と予め用意した基準画像とを比較して読取画像の検査を行う検査部１８を備える検査システム１０に、ジョブに対して、検査対象ページと検査対象外ページとを設定する検査対象設定部２１と、検査対象設定部２１の設定に基づいて、検査対象ページに対して検査を行い、検査対象外ページに対して検査を行わないように、検査部１８を制御する検査制御部２２と、検査対象外ページを含むジョブの全ページの読取画像を含む検査レポートを作成する検査レポート作成部２３と、を設けることにより、全ての出力物の印刷結果が確認可能になり、印刷依頼元への印刷結果の提示も容易になる。また、検査対象外ページに対しても印刷結果を目視で確認することができるため、大量の出力物の中から検査対象外のページを探し出す必要がなくなり、ユーザの負担を軽減することができる。
【００６０】
なお、本発明は上記実施例に限定されるものではなく、本発明の趣旨を逸脱しない限りにおいて、その構成や制御は適宜変更可能である。
【００６１】
例えば、上記実施例では、画像形成装置１０ａと検査装置１０ｂとが一体的に形成された検査システム１０について説明したが、検査装置１０ｂを単体で動作させる場合に対しても、本発明の検査方法を同様に適用することができる。その場合は、検査装置１０ｂに制御部と記憶部と検査部と必要に応じて表示操作部とを設け、制御部を正解画像登録部、検査対象設定部、検査制御部、検査レポート作成部として機能させる（制御部のＣＰＵに検査プログラム実行させる）ようにすればよい。
【産業上の利用可能性】
【００６２】
本発明は、ジョブに基づいて画像が形成された用紙を読み取った読み取り画像を検査する検査システム、当該検査システムにおける検査方法、当該検査システムで動作する検査プログラム及び当該検査プログラムを記録した記録媒体に利用可能である。
【符号の説明】
【００６３】
１０  検査システム
１０ａ  画像形成装置
１０ｂ  検査装置
１１  制御部
１１ａ  ＣＰＵ
１１ｂ  ＲＯＭ
１１ｃ  ＲＡＭ
１２  記憶部
１３  ネットワークＩ／Ｆ部
１４  表示操作部
１５  画像処理部
１６  印刷部
１７  画像読み取り部
１８  検査部
１９  仕分け部
２０  正解画像登録部
２１  検査対象設定部
２２  検査制御部
２３  検査レポート作成部
３０  ジョブ編集画面
３１  指示画面
【図１】
2020172028.tif 000003
【図２】
2020172028.tif 000004
【図３】
2020172028.tif 000005
【図４】
2020172028.tif 000006
【図５】
2020172028.tif 000007
【図６】
2020172028.tif 000008
【図７】
2020172028.tif 000009
【図８】
2020172028.tif 000010
【図９】
2020172028.tif 000011
【図１０】
2020172028.tif 000012
【図１１】
2020172028.tif 000013
【図１２】
2020172028.tif 000014